(57)【要約】【課題】図柄を組み立てる途中で基板に衝撃等が加わっても図柄の組み立て途中でピースが崩れることがなく、また、壁面などに立て掛け使用することができ、しかもピースによって付与される情報のみならず、手触りや風合い等の触覚情報を通じて図柄に関する情報を遊びながら習得することができるジグソーパズルの製造方法を提供する。【解決手段】本発明のジグソーパズルの製造方法は、日本地図Ｍが描画されたシート１１Ａと鋼板シート１１Ｂとを積層して基板１１を作製する工程と、複数のピースを作製するためのマグネットシート１１３Ａの一方の面に電着植毛を施して電着植毛マグネットシート１１３を作製する工程と、複数のピースとして、複数の分割領域の外形線に倣って成されたビク刃型６０を用いて電着植毛マグネットシート１１３を打ち抜いて複数の電着植毛マグネットピース１３を作製する工程と、を備えている。【選択図】図８
2015000186.tif 000002
【特許請求の範囲】
【請求項１】
基板上で複数の境界線を介して複数の分割領域に区画して描画された図柄と、上記複数の分割領域にそれぞれ当て嵌めて組み立てられる複数のピースと、を備え、上記複数のピースそれぞれを上記図柄の複数の分割領域に当て嵌めて上記図柄を組み立てるジグソーパズルであって、上記基板は、鋼板シートと、上記鋼板シートに積層され且つ上記図柄が描画されたシートと、を備えていると共に、上記図柄を組み立てるための上記複数のピースは、上記複数の分割領域の外形線に倣って形成されたビク刃型によって電着植毛マグネットシートを打ち抜いて形成された複数の電着植毛マグネットピースからなることを特徴とするジグソーパズル。
【請求項２】
上記電着植毛マグネットシートは、マグネットシートと、上記マグネットシート上に塗布された接着剤層と、上記接着剤層に短繊維が電着植毛された短繊維層と、を有し、上記短繊維層が上記短繊維の長さ、太さ、または密度の違いによる異なる触覚情報を有することを特徴とする請求項１に記載のジグソーパズル。
【請求項３】
上記図柄は、種々の情報が付記された日本地図または世界地図を表す図柄であることを特徴とする請求項１または請求項２に記載のジグソーパズル。
【請求項４】
上記図柄は、種々の情報が付記された、動物、植物を含む自然物または建築物、橋梁を含む工作物を表す図柄であることことを特徴とする請求項１または請求項２に記載のジグソーパズル。
【請求項５】
基板上で複数の境界線を介して複数の分割領域に区画して描画された図柄と、上記複数の分割領域にそれぞれ当て嵌めて組み立てられる複数のピースと、を備え、上記複数のピースそれぞれを上記図柄の複数の分割領域に当て嵌めて上記図柄を組み立てるジグソーパズルを製造する方法であって、少なくとも上記図柄が描画されたシートと鋼板シートとを積層して上記基板を作製する第１の工程と、上記複数のピースを作製するためのマグネットシートの一方の面に短繊維を電着植毛して電着植毛マグネットシートを作製する第２の工程と、上記複数の分割領域の外形線に倣って形成された刃を有するビク刃型によって上記電着植毛マグネットシートを打ち抜いて上記複数のピースに対応する複数の電着植毛マグネットピースを作製する第３の工程と、を備えたことを特徴とするジグソーパズルの製造方法。
【請求項６】
上記第２の工程は、上記マグネットシート上に接着剤を塗布して接着剤層を形成する工程と、上記接着剤層上に短繊維を電着植毛して電着植毛層を形成す工程と、を有することを特徴とする請求項５に記載のジグソーパズルの製造方法。
【請求項７】
上記ビク刃型によって上記複数の電着植毛マグネットピースが形成された上記電着植毛マグネットシートに、部分的に上記短繊維とは異なる短繊維を少なくとも一回電着植毛することを特徴とする請求項５または請求項６に記載のジグソーパズルの製造方法。
【発明の詳細な説明】
【技術分野】
【０００１】
本発明は、ジグソーパズル及びその製造方法に関し、更に詳しくは、所定の図柄（例えば、日本地図）が描画された基板に、所定の形状（例えば、都道府県の形状）に分割された電着植毛マグネットピースを吸着させ、基板上で日本地図等の種々の図柄を組み立てて日本地図等の図柄に関する知識を遊びながら習得することができるジグソーパズル及びその製造方法関する。
【背景技術】
【０００２】
従来のジグソーパズルは、所定の図柄（例えば、日本地図）を複数の領域（例えば、都道府県）に分割して形成された複数のピースを基板上に形成された日本地図の都道府県にそれぞれ当て嵌めて日本地図を完成させている。基板には、日本地図の余白に都道府県に付された番号と都道府県の県庁所在地や都道府県の名物等が記載されている。そして、複数のピースを当て嵌めてそのピースに付された番号と日本地図の余白に示された番号とを照合することで、都道府県名や都道府県庁の所在地等をジグソーパズルをしながら学習することができる。
【発明の概要】
【発明が解決しようとする課題】
【０００３】
しかしながら、従来のジグソーパズルは、都道府県のピースが厚紙やプラスチックを打ち抜いて形成されているため、都道府県のピースを基板上に描画された日本地図に当て嵌めて日本地図を完成させようとしても、例えばその途中で誰かが基板の置かれた台やテーブルなどにぶつかって基板に衝撃等が加わると折角組み立てたピースが崩れて組み立て作業を中断したり、やり直したりしなくてはならない。また、組み立ての途中で場所を移す場合にも組立て途中の基板を慎重に運ばなければ組み立て途中のピースが崩れてしまう。また、この種のジグソーパズルは、壁面などに基板を立て掛けて使うこともできない。更に、ピースが所定形状に打ち抜かれた厚紙等の切断片からなるため、ピースは単にその形状や色彩等の視覚情報のみが付与されているにすぎない。
【０００４】
本発明は、上記課題を解決するためになされたもので、ピースを基板に描画された図柄に当て嵌めて図柄を組み立てる途中で基板に衝撃等が加わっても図柄の組み立て途中でピースが崩れることがなく、また、壁面などに立て掛け使用することができ、しかもピースによって付与される情報のみならず、手触りや風合い等の触覚情報を通じて図柄に関する情報を遊びながら習得することができるジグソーパズル及びその製造方法を提供することを目的としている。
【課題を解決するための手段】
【０００５】
本発明の請求項１に記載のジグソーパズルは、基板上で複数の境界線を介して複数の分割領域に区画して描画された図柄と、上記複数の分割領域にそれぞれ当て嵌めて組み立てられる複数のピースと、を備え、上記複数のピースそれぞれを上記図柄の複数の分割領域に当て嵌めて上記図柄を組み立てるジグソーパズルであって、上記基板は、鋼板シートと、上記鋼板シートに積層され且つ上記図柄が描画されたシートと、を備えていると共に、上記図柄を組み立てるための上記複数のピースは、上記複数の分割領域の外形線に倣って形成されたビク刃型によって電着植毛マグネットシートを打ち抜いて形成された複数の電着植毛マグネットピースからなることを特徴とするものである。
【０００６】
また、本発明の請求項２に記載のジグソーパズルは、請求項１に記載の発明において、上記電着植毛マグネットシートは、マグネットシートと、上記マグネットシート上に塗布された接着剤層と、上記接着剤層に短繊維が電着植毛された短繊維層と、を有し、上記短繊維層が上記短繊維の長さ、太さ、または密度の違いによる異なる触覚情報を有することを特徴とするものである。
【０００７】
また、本発明の請求項３に記載のジグソーパズルは、請求項１または請求項２に記載の発明において、上記図柄は、種々の情報が付記された日本地図または世界地図を表す図柄であることを特徴とする上記図柄は、種々の情報が付記された日本地図または世界地図を表す図柄であることを特徴とするものである。
【０００８】
また、本発明の請求項４に記載のジグソーパズルは、請求項１または請求項２に記載の発明において、上記図柄は、種々の情報が付記された、動物、植物を含む自然物または建築物、橋梁を含む工作物を表す図柄であることことを特徴とするものである。
【０００９】
また、本発明の請求項５に記載のジグソーパズルの製造方法は、基板上で複数の境界線を介して複数の分割領域に区画して描画された図柄と、上記複数の分割領域にそれぞれ当て嵌めて組み立てられる複数のピースと、を備え、上記複数のピースそれぞれを上記図柄の複数の分割領域に当て嵌めて上記図柄を組み立てるジグソーパズルを製造する方法であって、少なくとも上記図柄が描画されたシートと鋼板シートとを積層して上記基板を作製する第１の工程と、上記複数のピースを作製するためのマグネットシートの一方の面に短繊維を電着植毛して電着植毛マグネットシートを作製する第２の工程と、上記複数の分割領域の外形線に倣って形成された刃を有するビク刃型によって上記電着植毛マグネットシートを打ち抜いて上記複数のピースに対応する複数の電着植毛マグネットピースを作製する第３の工程と、を備えたことを特徴とするものである。
【００１０】
また、本発明の請求項６に記載のジグソーパズルの製造方法は、請求項５に記載の発明において、上記第２の工程は、上記マグネットシート上に接着剤を塗布して接着剤層を形成する工程と、上記接着剤層上に短繊維を電着植毛して電着植毛層を形成す工程と、を有することを特徴とするものである。
【００１１】
また、本発明の請求項７に記載のジグソーパズルの製造方法は、請求項５または請求項６に記載の発明において、上記ビク刃型によって上記複数の電着植毛マグネットピースが形成された上記電着植毛マグネットシートに、部分的に上記短繊維とは異なる短繊維を少なくとも一回電着植毛することを特徴とする
ものである。
【発明の効果】
【００１２】
本発明によれば、ピースを基板に描画された図柄に当て嵌めて図柄を組み立てる途中で基板に衝撃等が加わっても図柄の組み立て途中でピースが崩れることがなく、また、壁面などに立て掛け使用することができ、しかもピースによって付与される情報のみならず、手触りや風合い等の触覚情報を通じて図柄に関する情報を遊びながら習得することができるジグソーパズル及びその製造方法を提供することができる。
【図面の簡単な説明】
【００１３】
【図１】（ａ）、（ｂ）、（ｃ）はそれぞれ本発明のジグソーパズルの一実施形態を示す図で、（ａ）はジグソーパズルの図柄が描画された基板全体を示す平面図、（ｂ）は（ａ）に示す基板の一部を示す断面図、（ｃ）は（ａ）の基板に斜線で覆われた電着植毛マグネットピースの一部を示す断面図である。
【図２】（ａ）、（ｂ）、（ｃ）はそれぞれ図２に示すマグネットシートから電着植毛マグネットシートを製造する工程を模式的に工程順に示す断面図である。
【図３】図１に示すジグソーパズルのピースを作製するための電着植毛マグネットシートを作製する電着植毛装置の一例を示す構成図である。
【図４】図１に示す日本地図の分割領域を打ち抜く際に用いられるビク刃型の一例を示す平面図である。
【図５】図１に示す日本地図の分割領域を打ち抜く際に用いられるビク刃型の他の例を示す平面図である。
【図６】図１に示す日本地図の分割領域を打ち抜く際に用いられるビク刃型の更に他の例を示す平面図である。
【図７】図１に示す日本地図の分割領域を打ち抜く際に用いられるビク刃型の更に他の例を示す平面図である。
【図８】（ａ）、（ｂ）は、それぞれビク刃型を用いて電着植毛マグネットシートを打ち抜いて複数のピースを作製する工程を模式的に工程順に示す断面図である。
【図９】東日本の電着植毛マグネットピースのパイル層と西日本の電着植毛マグネットピースのパイル層のパイルの種類が異なる状態を示す日本地図である。
【発明を実施するための形態】
【００１４】
以下、図１〜図９に示す実施形態に基づいて本発明を説明する。
本実施形態のジグソーパズル１０は、例えば図１の（ａ）示すように、基板１１と、基板１１の外周縁を覆う枠体１２と、基板１１に描画された図柄（例えば、日本地図）Ｍの複数の分割領域（都道府県）Ｐｒにそれぞれ当て嵌められる電着植毛マグネットピース１３（図１の（ａ）ではハッチングで示された複数の分割領域）と、を備えている。日本地図Ｍは、複数の境界線Ｂによって分割領域（都道府県）Ｐｒに分割されている。各都道府県Ｐｒにはそれぞれ固有の番号が付されている。基板１１の一点鎖線で囲まれた余白Ａには、都道府県Ｐｒの特徴が記載された矩形領域Ｄ（図１の（ａ）では２箇所のみ図示されている。）が形成されており、各矩形領域Ｄには都道府県Ｐｒに対応する番号が付されている。矩形領域Ｄには、都道府県Ｐｒに対応する番号、県庁所在地、名物等の各都道府県の特徴が記載されている。従って、電着植毛マグネットピース１３を日本地図Ｍに当て嵌める遊戯をしながら都道府県Ｐｒの位置を学習すると共に対応する番号から都道府県Ｐｒの都道県庁所在地やそれぞれの名物等を学習することができる。
【００１５】
而して、基板１１は、例えば図１の（ｂ）に示すように、日本地図Ｍ等が描画されたシート１１Ａと、シート１１Ａが貼り付けられた鋼板シート１１Ｂと、鋼板シート１１Ｂを支持するブラスチック等からなる支持シート１１Ｃと、を備えている。日本地図Ｍ等はシルク印刷によってシート１１Ａに印刷され、その表面がプラスチックフィルムでラミネートされている。ラミネートフィルムは印刷インクがシート１１Ａから剥離しなように印刷インクを保護している。シート１１Ａが鋼板シート１１Ｂに貼り付けられているため、電着植毛マグネットピース１３は鋼板シート１１Ｂを介して基板１１の上面に吸着して固定される。支持シート１１Ｃは必要に応じて省略することができる。
【００１６】
図１の（ｃ）に示すように、電着植毛マグネットピース１３は、マグネットピース１３Ａと、マグネットピース１３Ａの上面に塗布された接着剤層１３Ｂと、接着剤層１３Ｂに電着植毛された短繊維（以下、「パイル」と称す。）層１３Ｃと、を備え、基板１１上に吸着するように構成されている。
【００１７】
電着植毛マグネットピース１３は、シート１１Ａを介して鋼板シート１１Ｂに対して吸着し、基板１１に衝撃力が加わっても位置ズレしにくい吸着力を備えている。ピースに吸着力を付与することで基板１１に衝撃力が加わったり、ピースにちょっと触れただけでは簡単に位置ズレすることがなく、また、基板１１を立て掛けても電着植毛マグネットピース１３が基板１１からずれ落ちることもない。電着植毛マグネットピース１３は、基板１１上で位置ズレしにくく、簡単に散らばらないため、手でピースを操作し難い障害のある人、あるいは高齢で動作が緩慢になっている人にとっても取り扱いやすい。そのため、電着植毛マグネットピース１３は、手でピースを操作し難い人、あるいは高齢で動作が緩慢になっている人にとっては手を動かす訓練に供することができる。また、マグネットピース１３Ａは、高齢者が使用することで、そのジグソーパズル１０に興味を示し、ジグソーパズル１０を組み立てながら種々の記憶を呼び戻すきっかけにもなる。接着剤層１３Ｂの厚さは特に制限されないが、例えば１０／１０００〜４０／１００ｍｍの厚さが好ましい。パイル層１３Ｃを形成するパイルは、例えば、ナイロン、レーヨン、アクリル、ポリプロピレン、ポリエチレン等の有機繊維によって形成されている。このパイルは、例えば太さが７〜７０デニール、長さが０．２〜２０ｍｍ、で且つ乾強度が６３〜２７５ｇ／ｄ（デニール）、乾伸度が６０〜７１％のものが好ましい。パイルの太さが７デニール未満では腰が弱く植毛としての弾力がなく、７０デニールを超えると植毛が難しくなる虞がある。パイルの長さが０．２ｍｍ未満では植毛としても弾力がなく手触り、風合いが劣り、２０ｍｍを超えると腰が弱くなる虞がある。また、このパイル層１３Ｃは接着剤層１３Ｂに対して５０００〜１００００本／ｃｍ２の密度でパイルが電着植毛されていることが好ましい。パイル層１３Ｃの植毛密度が５０００本／ｃｍ２未満では植毛としても弾力が弱くなり、１００００本／ｃｍ２を超えると植毛が難しくなる虞がある。また、乾強度及び乾伸度が上記範囲のパイルを用いることでパイル層１３Ｃとしての腰が強く、パイル層１３Ｃの各パイルが接触により曲がっても瞬時に復元する弾性を有している。
【００１８】
而して、電着植毛マグネットピース１３は、各都道府県Ｐｒの外形に即した形状に作製されたビク刃型６０、６０Ａ、６０Ｂ、６０Ｃ（図４〜図７参照）を用いて電着植毛マグネットシート１１３を打ち抜くことによって形成される。電着植毛マグネットシート１１３は、電着植毛装置を用いて作製される。それにはまず、図２の（ａ）に示すようにマグネットシート１１３Ａを準備する。このマグネットシート１１３Ａの上面に接着剤を塗布して図２の（ｂ）に示すように接着剤層１１３Ｂを形成する。次いで、例えば図３に示す電着植毛装置５０を用いてマグネットシート１１３Ａ上に形成された接着剤層１１３Ｂにパイルを電着植毛してパイル層１１３Ｃを形成する。
【００１９】
電着植毛装置５０は、例えば図３に示すように、コンベア５１と、このコンベア５１上方に配置されたパイルホッパー５２と、このパイルホッパー５２とコンベア５１の間に介在する高圧電極５３と、この高圧電極５３に高電圧を印加する高圧発生器５４と、コンベア５１の裏面側に配置された接地電極５５とを備え、接着剤層（図示せず）を上面してマグネットシート１１３Ａをコンベア５１上に連続的に供給し、接着剤層にパイルＰを電着植毛してパイル層１１３Ｃを形成する。本実施形態で使用される電着植毛装置５０自体は従来から公知のものである。電着植毛装置５０は、図３に示すようにパイルホッパー５２から一定量のパイルＰを振るい落とすようになっている。高圧電極５３は、例えばピアノ線がマグネットシート１１３Ａの進行方向に沿って複数本張られたもので、各ピアノ線が互いに一定の隙間を空けて平行になっており、高圧発生器５４からの高電圧の印加によりパイルＰをイオン化し、その隙間からコンベア５１側へパイルＰを供給するようになっている。尚、パイルホッパー５２は種々の篩を用いることができ、また、高圧電極５３もピアノ線以外の鋼線等を用いることができ、線の張り方も網目状等種々のものを用いることができる。尚、コンベア５１、パイルホッパー５２、高圧電極５３等はハウジング（図示せず）によって包囲され、ハウジングによって電着植毛室が形成されている。
【００２０】
電着植毛装置５０は、上述のように構成されているため、図３に示すように高圧発生器５４から高圧電極５３に高電圧を印加すると、高圧電極５３と接地電極５５間で高圧静電界が形成される。この状態でパイルホッパー５２からパイルＰを振るい落とすと、パイルＰは高圧電極５３においてイオン化され、イオン化されたパイルＰは図３に示すように高圧電極５３の隙間から高圧静電界を飛翔してコンベア５１で搬送されるマグネットシート１１３Ａの接着剤層（図示せず）に垂直に植え付けられ、図２の（ｃ）に示す電着植毛マグネットシート１１３が得られる。
【００２１】
電着植毛装置５０によって作製された電着植毛マグネットシート１１３は、図４〜図７に示すビク刃型６０、６０Ａ、６０Ｂ、６０Ｃを用いて都道府県Ｐｒを模った複数の電着植毛マグネットピース１３として打ち抜かれる。図４には北海道と近畿圏の府県を模ったビク刃型６０として形成されている。ビク刃型６０は、例えば図８の（ａ）に示すように、べニア合板等の型板６１と、べニア合板等の型板６１に北海道と近畿圏の府県を模った溝内に埋め込まれたビク刃６２と、を備えている。溝は型板６１に対してレーザ加工等の手法によって加工され、この溝内にビク刃６２が埋め込まれている。ビク刃６２は、型板６１の上面から電着植毛マグネットシート１１３を貫通する高さに形成されている。このビク刃型６０は、専用の裁断機（図示せず）に位置合わせして装着され、ビク刃型６０を図８の（ｂ）に示すように押下してビク刃型６０で電着植毛マグネットシート１１３を打ち抜くことによって北海道及び近畿圏の府県に即した形状の電着植毛マグネットピース１３を作製することができる。図５は東北地方と中国地方を模ったビク刃型６０Ａ、図６は関東地方、九州地方及び沖縄を模ったビク刃型６０Ｂ、図７は北陸上信越地方、四国地方を模ったビク刃型６０Ｃであり、これらのビク刃型６０Ａ、６０Ｂ、６０Ｃを用いてそれぞれ異なる色で着色されたパイル層１３Ｃを有する電着植毛マグネットシート１１３を打ち抜いて、それぞれの地方にある県の形に即した電着植毛マグネットピース１３を打ち抜くことができる。電着植毛マグネットシート１１３から打ち抜かれた複数の電着植毛マグネットピース１３は、いずれもビク刃６２によって打ち抜かれるため、パイル層１３Ｃの外形がマグネットピース１３Ａの外形と一致する垂直壁として形成されている。そのため、隣同士の電着植毛マグネットピース１３の垂直壁がぴったり一致し、日本地図Ｍ上で複数の電着植毛マグネットピース１３を隙間なく嵌め込んで確実に日本地図Ｍとして組み立てることができる。これに対して、マグネットピースを打ち抜いて形成されたマグネットピースに電着植毛を施すとパイル層がマグネットピースの垂直壁からはみ出し、隣同士のピース１３の垂直壁間に隙間ができ、日本地図Ｍとして正確に組み立てることができず、ジグソーパズルとしては殆ど使うことができない。
【００２２】
ビク刃型６０で打つ抜かれた北海道と近畿地方の道府県を表す電着植毛マグネットピース１３は、例えばいずれも同一色で着色されている。他のビク刃型６０Ａ、６０Ｂ、６０Ｃでそれぞれ打つ抜かれた電着植毛マグネットピース１３もそれぞれ同一色で着色されている。これらのビク刃型６０、６０Ａ、６０Ｂ、６０Ｃで打ち抜かれる電着植毛マグネットシート１１３は、それぞれのパイル層１１３Ｃ全てに同一の着色が施されたものであっても良く、必要に応じて全てのパイル層１１３Ｃに互いに異なる着色が施されたものでも良い。
【００２３】
ビク刃型６０、６０Ａ、６０Ｂ、６０Ｃで打ち抜かれる電着植毛マグネットシート１１３として、パイル層１１３Ｃのパイルの長さ、太さあるいは密度が互いに異なるパイル層１１３Ｃを採用することもできる。このようにパイル層１１３Ｃのパイルの長さ、太さあるいは密度を変えることで、上述の４種類のビク刃型６０、６０Ａ、６０Ｂ、６０Ｃに対応する電着植毛マグネットシート１１３が作製される。例えばビク刃型６０、６０Ａ、６０Ｂ、６０Ｃで打ち抜かれる電着植毛マグネットシート１１３としてそれぞれのパイル層１１３Ｃのパイル長さ、太さあるいは密度が互いに異なるものが採用されると、それぞれの手触りや風合い、即ちふわふわ感やごわごわ感等の触感（触覚情報）が異なる。この触覚情報の違いによってビク刃型６０、６０Ａ、６０Ｂ、６０Ｃで打ち抜かれた電着植毛マグネットピース１３を識別することができる。このように電着植毛マグネットシート１１３のパイル層１１３Ｃのパイルの長さ、太さあるいは密度が変えられることでそれぞれの電着植毛マグネットシート１１３に固有の触覚情報が付与される。
【００２４】
例えば、図９は、日本地図Ｍに電着植毛マグネットピース１３を当て嵌めて日本地図を完成させた状態を示す図である。この図では東日本（斜線で示した領域）と西日本とでは異なる種類の電着植毛マグネットピース１３１、１３２が用いられている。これらの電着植毛マグネットピース１３１、１３２は、図４〜図７に示すビク刃型６０、６０Ａ、６０Ｂ、６０Ｃの都道府県の組み合わせとは異なる組み合わせで構成されている。東日本の電着植毛マグネットピース１３１は、東日本の複数の都道県が組み合わされたビク刃型によって作製され、西日本の電着植毛マグネットピース１３２は、西日本を複数の府県が組み合わされたビク刃型によって作製される。この場合、東日本の都道県Ｐｒを纏めたビク刃型から作製される電着植毛マグネットピース１３１のパイル層には、例えば２０デニール以上の太さで０．５ｍｍの長さのパイルが用いられ、ごわごわした触感が得られる。西日本の府県Ｐｒを纏めたビク刃型から作製される電着植毛マグネットピース１３２のパイル層には、例えば１．５デニールの太さで０．６ｍｍの長さのパイルが用いられ、東日本の触感よりも柔らかいふわふわした触感が得られる。このような触感の違いで東日本の都道県Ｐｒを示す電着植毛マグネットピース１３１と西日本の府県Ｐｒを示す電着植毛マグネットピース１３２を触覚で識別することができる。尚、図９では日本地図Ｍの図柄に電着植毛マグネットピース１３を当て嵌めた図のみが記載されており、他の矩形領域等は省略されている。
【００２５】
また、図４〜図７に示すビク刃型６０、６０Ａ、６０Ｂ、６０Ｃを用いて電着植毛マグネットシート１１３を打ち抜いた後、更に、例えば河川や山等の形状を呈する透孔が形成されたマスク（図示せず）を準備する。これらのマスクで対応する日本地図の都道府県Ｐｒが打ち抜かれた電着植毛マグネットシート１１３に遮蔽し、このマスクの透孔から長さや太さが異なるパイルを電着植毛により追加植毛することにより、代表的な大きな河川や高い山等の部分のパイル層のパイル密度やパイル高さを高くして河川や山等の部分を他の平野部分等と区別して表現することができる。このような河川や山等が表現された電着植毛マグネットピース１３を日本地図に当て嵌める時には、触覚情報としての触感で河川や山等を他の平野部分から識別することができ、当て嵌める都道府県Ｐｒが見つかりやすくなる。また、ジグソーパズル１０を組み立てる際に、河川や山等の所在地とそれぞれの名称を同時に習得することができる。
【００２６】
次いで、ジグソーパズル１０の使用方法について説明する。まず、ジグソーパズル１０を準備する。複数の電着植毛マグネットピース１３は、ばらばらの状態で箱等に収納されている。箱から複数の電着植毛マグネットピース１３を一個ずつ取り出し、その形状から日本地図Ｍの都道府県Ｐｒを見つけ出し、該当する分割領域（都道府県）に電着植毛マグネットピース１３を当て嵌める。この電着植毛マグネットピース１３の番号に対応する余白Ａの小領域Ｄの番号を照合することにより、この電着植毛マグネットピース１３の都道府県名、都道府県庁所在地及びその地の名物を学習することができる。また、電着植毛マグネットピース１３に河川や山が表現されている場合には、これらの部分が他の部分とはパイルの密度、高さが異なるため、その触感（触覚情報）でこれらの部分が河川や山等であると知ることができ、電着植毛マグネットピース１３の形状情報と相俟って触覚情報で都道府県情報と河川や山等の名称や地域情報を習得することができる。この電着植毛マグネットピース１３が対応する分割領域に当て嵌められると、電着植毛マグネットピース１３はマグネットピース１３Ａを介して基板１１の鋼板シート１１Ｂに吸着、固定される。そのため、誤って基板１１に衝撃が加えられたりしても電着植毛マグネットピース１３は当初の場所から殆ど位置ズレすることがなく、組み立て途中の複数のピース１３が崩れることがない。また、電着植毛マグネットピース１３が基板１１に吸着、固定されるため、例えば小学校の教室での授業で基板１１を黒板等に立て掛けて使用することもできる。
【００２７】
組み立て途中で基板１１に何らかの衝撃が加わることがあっても全ての電着植毛マグネットピース１３が殆ど位置ズレすることなく、それぞれの分割領域に当て嵌められて日本地図Ｍを完成させることで、全国の都道府県名、都道府県庁の所在地及び名物等を遊びながら習得することができる。また、手でピースを操作し難い障害のある人、あるいは高齢で動作が緩慢になっている人にとっても電着植毛マグネットピース１３は取り扱いやすいため、ジグソーパズル１０を手を動かす訓練に供することができる。また、電着植毛マグネットピース１３は、表面にパイル層１３Ｃが形成されているため、手触りや風合いによる触覚情報によって電着植毛マグネットピース１３に種々の情報を付与することができ、しかも、感触を楽しみながら触覚情報で各種の情報を識別して組み立ることができる。
【００２８】
以上説明したように本実施形態によれば、電着植毛マグネットピース１３を組み立て途中で基板に衝撃等が加わっても組み立て途中のピースが崩れることがなく、また、教室での黒板や壁面などに立て掛け使用することができ、しかも手触り等の感触がよく楽しく遊びながら種々の知識を習得することができる。また、電着植毛マグネットピース１３は、基板１１上で位置ズレしにくく、簡単に散らばらないため、手でピースを操作し難い障害のある人、あるいは高齢で動作が緩慢になっている人にとっても取り扱いやすい。そのため、マグネットピース１３Ａは、手でピースを操作し難い人、あるいは高齢で動作が緩慢になっている人にとっては手を動かす訓練になる。更に、電着植毛マグネットピース１３にパイルの太さ、長さあるいは密度により河川や山等が表現されている場合には、電着植毛マグネットピース１３の触感を通じての触覚情報でこれらの部分が河川や山等であると知ることができ、電着植毛マグネットピース１３の形状情報と相俟って触覚情報で都道府県情報と河川や山等の名称や地域情報をより詳しく習得することができる。
【００２９】
また、本発明における図柄としては、日本地図や世界地図の他に以下のものを挙げることができる。例えば、象、キリン等の陸上棲息動物や鯨などの水中棲息動物を含む動物、昆虫、また、花等の植物等を自然物、また、ランドマークタワーやスカイツリー等建築物や瀬戸大橋等の橋梁を含む工作物等にも本発明を適用することができる。そして、陸上棲息動物と水中棲息動物とで異なるビク刃型を用い、それぞれのビク刃型で打ち抜かれる電着植毛マグネットシートのパイル層の長さや太さ等を変え、形状情報の他に触覚情報を付与することができる。また、これと同様にパイル層の触覚情報を変えることで陸上棲息動物でも草食動物と肉食動物を識別することもできる。これと同様にパイル層の触覚情報を変えることで昆虫や植物等を自然物についても共通する特徴を纏めて他の特徴を有するものと識別するようにすることができる。このようなことは、その他の建築物や工作物についても同様に適用することができる。
【００３０】
本発明は、上記実施形態の図柄に何ら制限されるものではなく、本発明の要旨に反しない限り本発明を適用することができる。例えば抽象的な図柄等のあらゆる図柄にも本発明を適用することができる。また、本発明に用いらる電着植毛装置やビク刃型は、上記実施形態に何ら制限されるものではなく、必要に応じて種々のタイプの電着植毛装置やビク刃型を用いて種々の形態のジグソーパズルを製造することができる。
【符号の説明】
【００３１】
１０    ジグソーパズル
１１    基板
１１Ａ  シート
１１Ｂ  鋼板シート
１３    電着植毛マグネットピース
１３Ａ  マグネットピース、マグネットシート
１３Ｂ  接着剤層
１３Ｃ  パイル層（短繊維層）
１１３    電着植毛マグネットシート
１１３Ａ  マグネットシート
１１３Ｂ  接着剤層
１１３Ｃ  パイル層（短繊維層）
【図１】
2015000186.tif 000003
【図２】
2015000186.tif 000004
【図３】
2015000186.tif 000005
【図４】
2015000186.tif 000006
【図５】
2015000186.tif 000007
【図６】
2015000186.tif 000008
【図７】
2015000186.tif 000009
【図８】
2015000186.tif 000010
【図９】
2015000186.tif 000011